(57)【要約】【課題】長期間に渡って湿潤と乾燥が繰り返される気化フィルタの収縮量を低減させ、空気漏れや気化フィルタに供給される水が漏れ出すのを防止可能な気化フィルタおよびそれを用いた加湿機を提供する。【解決手段】送風路１０内に配置され、水分を吸収する吸水性と、空気が表面と裏面を通過する通気性とを兼ね備えた気化フィルタ４１であって、気化フィルタ４１には、気化フィルタ４１の形状を保持するために表面４１１または裏面４１２の少なくとも一方の面上に線状の形状保持部材４１０ａ〜４１０ｊが交差するように配置されている。これにより、気化フィルタ４１は、湿潤と乾燥が長期間に渡って繰り返され、送風路１０の径方向に収縮する力が働いたとしても、収縮力に対向する形状保持力が得られ、気化フィルタ４１が収縮し難くなる。【選択図】      図４
2014238176.tif 000002
【特許請求の範囲】
【請求項１】
送風路内に配置され、水分を吸収する吸水性と、空気が表面と裏面を通過する通気性とを兼ね備えた気化フィルタであって、
前記気化フィルタには、気化フィルタの形状を保持するために表面または裏面の少なくとも一方の面上に線状の形状保持部材が交差するように配置されていることを特徴とする気化フィルタ。
【請求項２】
前記気化フィルタは、板状の給水シートを山部と谷部からなるプリーツ状に折り畳んだ円板状の折畳体で構成されていることを特徴とする請求項１に記載の気化フィルタ。
【請求項３】
前記形状保持部材は、前記気化フィルタの折り畳み方向と、前記気化フィルタの折り畳み方向と交わる方向とにそれぞれ少なくとも一本ずつ配置すると共に、前記形状保持部材の少なくとも一つの交点を前記気化フィルタの中心に配置したことを特徴とする請求項２に記載の気化フィルタ。
【請求項４】
前記気化フィルタの折り畳み方向と交わる方向に配置する形状保持部材は、前記気化フィルタの折畳体の前記谷部に沿って配置されていることを特徴とする請求項２に記載の気化フィルタ。
【請求項５】
前記折り畳み方向に配置する形状保持部材のうち、少なくとも前記気化フィルタの中心から最も遠い位置に配置される形状保持部材は、両端側で前記折り畳み方向と交わる方向に配置する形状保持部材と交わることで、矩形状の枠を形成するように配置したことを特徴とする請求項３または４に記載の気化フィルタ。
【請求項６】
請求項１〜５のいずれか一つに記載の気化フィルタを気化フィルタを収容する気化フィルタ収容器に収容したことを特徴とする加湿機。
【発明の詳細な説明】
【技術分野】
【０００１】
本発明は、気化フィルタおよびその気化フィルタを用いて空気を加湿する加湿機に関する。
【背景技術】
【０００２】
従来、室内などの閉塞空間内における空気の乾燥を防止するため、吸水性と通気性を備えた気化フィルタを用いて加湿を行う加湿機が用いられている。
【０００３】
この種の気化フィルタを備えた加湿機では、気化フィルタが長期間使用されると給水と乾燥が繰り返し行われることから、気化フィルタが収縮して、気化フィルタを収容する枠体（気化フィルタ収容器）と気化フィルタとの間に隙間が生じ、その隙間から空気漏れや水漏れが生じることがあった。
【０００４】
そこで、従来は、気化フィルタを収容する枠体と気化フィルタとの間にクッション材を配置することにより、気化フィルタが収縮しても枠体との間に隙間が生じないようにしていた（特許文献１参照）。
【先行技術文献】
【特許文献】
【０００５】
【特許文献１】特開２００８−２６７６９９号公報
【発明の概要】
【発明が解決しようとする課題】
【０００６】
しかしながら、特許文献１において、気化フィルタを収容する枠体と気化フィルタとの間にクッション材を配置することで、気化フィルタと枠体との間に隙間が生じないようにできたとしても、加湿に寄与しないクッション材を使用することで、加湿効率が低下するという課題が生じる。
【０００７】
本発明は、上記に鑑みてなされたものであって、長期間に渡って湿潤と乾燥が繰り返される気化フィルタの収縮量を低減させた気化フィルタおよびそれを用いた加湿機を提供することを目的とする。
【課題を解決するための手段】
【０００８】
上述した課題を解決し、目的を達成するために、本発明の気化フィルタは、送風路内に配置され、水分を吸収する吸水性と、空気が表面と裏面を通過する通気性とを兼ね備えた気化フィルタであって、前記気化フィルタには、気化フィルタの形状を保持するために表面または裏面の少なくとも一方の面上に線状の形状保持部材が交差するように配置されていることを特徴とする。
【０００９】
また、このように構成された前記気化フィルタは、板状の給水シートを山部と谷部からなるプリーツ状に折り畳んだ円板状の折畳体で構成されていることを特徴とする。
【００１０】
また、このように構成された気化フィルタの前記形状保持部材は、前記気化フィルタの折り畳み方向と、前記気化フィルタの折り畳み方向と交わる方向とにそれぞれ少なくとも一本ずつ配置すると共に、前記形状保持部材の少なくとも一つの交点を前記気化フィルタの中心に配置したことを特徴とする。
【００１１】
また、このように構成された前記気化フィルタの折り畳み方向と交わる方向に配置する形状保持部材は、前記気化フィルタの折畳体の前記谷部に沿って配置されていることを特徴とする。
【００１２】
また、このように構成された気化フィルタは、前記折り畳み方向に配置する形状保持部材のうち、少なくとも前記気化フィルタの中心から最も遠い位置に配置される形状保持部材は、同形状保持部材の両端側で前記折り畳み方向と交わる方向に配置する形状保持部材と交わることで、矩形状の枠を形成するように配置したことを特徴とする。
【００１３】
また、これらの気化フィルタのいずれか一つを気化フィルタを収容する気化フィルタ収容器に収容して加湿機を構成したことを特徴とする。
【発明の効果】
【００１４】
本発明の気化フィルタによれば、送風路内に配置され、水分を吸収する吸水性と、空気が表面と裏面を通過する通気性とを兼ね備えた気化フィルタであって、気化フィルタには、気化フィルタの形状を保持するために表面または裏面の少なくとも一方の面上に線状の形状保持部材が交差するように配置されている。これにより、気化フィルタは、湿潤と乾燥が長期間に渡って繰り返され、気化フィルタに収縮する力が働いても、これに対抗する形状保持力を得ることができ、気化フィルタの縮みを防止することができる。
【００１５】
また、この気化フィルタは、板状の給水シートを山部と谷部からなるプリーツ状に折り畳んだ円板状の折畳体で構成されている。これにより、気化フィルタの表面積が大きくなり、通気性に優れ、加湿効率の高い気化フィルタが得られる。
【００１６】
さらに、気化フィルタの形状保持部材は、気化フィルタの折り畳み方向と、気化フィルタの折り畳み方向と交わる方向とにそれぞれ少なくとも一本ずつ配置すると共に、形状保持部材の少なくとも一つの交点を気化フィルタの中心に配置している。これにより、気化フィルタが収縮する力に対向する形状保持力が得られ、気化フィルタの縮みを防止することができる。
【００１７】
また、気化フィルタの折り畳み方向と交わる方向に配置する形状保持部材は、気化フィルタの折畳体の谷部に沿って配置される。これにより、プリーツ状に折り畳んだ円板状の折畳体で構成された気化フィルタの谷部を利用して形状保持部材を配置できるため、気化フィルタが厚くならない。また、形状保持部材を容易に配置可能となる。
【００１８】
また、気化フィルタの折り畳み方向に配置する形状保持部材のうち、少なくとも気化フィルタの中心から最も遠い位置に配置される形状保持部材は、両端側で折り畳み方向と交わる方向に配置する形状保持部材と交わることで、矩形状の枠を形成するように配置する。これにより、気化フィルタが収縮する力に対抗する強固な形状保持力が得られ、気化フィルタの縮みを防止することができる。
【００１９】
また、これらの気化フィルタのいずれか一つを気化フィルタを収容する気化フィルタ収容器に収容して加湿機を構成する。これにより、加湿機の気化フィルタの縮みが防止できることから、気化フィルタが長期間湿潤と乾燥を繰り返すことにより発生する膨潤収縮が起こり難くなり、気化フィルタを収容する気化フィルタ収容器との間に隙間ができ難く、空気漏れや水漏れの発生を防止することができる。
【図面の簡単な説明】
【００２０】
【図１】図１は、本発明の一実施形態を示す加湿脱臭機を正面斜め上方から見た斜視図である。
【図２】図２は、図１に示す加湿脱臭機の中央部から縦断したＸ−Ｘ線に沿った断面図である。
【図３】図３は、図２に示す加湿脱臭機から加湿ユニットを取り出した加湿ユニットの斜視図である。
【図４】図４は、図３に示す加湿ユニットの気化フィルタ収容器に収容されている気化フィルタの拡大斜視図である。
【図５−１】図５−１は、図４の気化フィルタの折り畳み方向と直交する方向に塗布するホットメルトの塗布態様を示す部分断面である。
【図５−２】図５−２は、図５−１と異なるホットメルトの塗布態様を示す部分断面図である。
【図５−３】図５−３は、図４の気化フィルタの折り畳み方向に塗布するホットメルトの塗布態様を示す部分断面である。
【図６】図６は、膨潤収縮による気化フィルタの直径寸法の変化を形状保持部材の配置の有無で比較したグラフである。
【図７】図７は、円板状の気化フィルタに形状保持部材を格子状に配置する別のパターン例を示す図である。
【図８】図８は、矩形状の気化フィルタに形状保持部材を格子状に配置するパターン例を示す図である。
【図９】図９は、円板状の気化フィルタに形状保持部材を放射状に配置するパターン例を示す図である。
【発明を実施するための形態】
【００２１】
以下、本発明にかかる気化フィルタおよびそれを用いた加湿機の実施の形態について図面を参照して説明する。なお、この実施形態によりこの発明が限定されるものではない。本実施形態では、脱臭機能を付加した加湿脱臭機を例にあげて説明しているが、脱臭機能は必ずしも必要ではなく、加湿機能を有するものであれば実施可能である。
【００２２】
まず、図１から図６は本発明にかかる加湿脱臭機１の一実施形態を示している。図１は、本発明の一実施形態を示す加湿脱臭機を正面斜め上方から見た斜視図である。この加湿脱臭機１は、図１に示すように、合成樹脂パネルで形成された直方体状の筺体を有し、この筺体の前面パネル１７に設けられた空気吸込口１１から導入した空気を、上面に設けられた空気吹出口１２から放出する間に、空気の脱臭処理と加湿処理とが行われるようになっている。空気吹出口１２の上方には、回動可能なルーバ１３が配置され、ルーバ１３の開閉角度を変えることで空気の吹き出し方向を適宜調節することができる。図１および図２に示すルーバ１３は、閉じた位置にあるが、この状態でも空気吹出口１２が開口しているため、上方へは空気を吹き出すことができる。吹き出し方向に角度を付けたい場合は、ルーバ１３を所望の角度まで引き上げることにより、ルーバ１３の下面に沿って空気を吹き出すことができる。
【００２３】
また、加湿脱臭機１の筺体の上面部には、空気吹出口１２に隣接する位置に加湿脱臭機１を操作する操作パネル１９が設けられている。さらに、加湿脱臭機１の筺体の側面側は、前面パネル１７と側面パネル１８と背面パネル２２とで覆われている。
【００２４】
図２は、図１に示す加湿脱臭機の中央部から縦断したＸ−Ｘ線に沿った断面図である。加湿脱臭機１の筺体の内部は、図２に示すように、空気吸込口１１から導入された空気（矢印Ａ）が、プレフィルタ２０から取り込まれ（矢印Ｂ）、集塵フィルタ２１、脱臭ユニット３０、ユニットガイド３９、および加湿ユニット４０を通過して、空気吹出口１２まで案内する送風路１０が形成されている。この送風路１０の途中には、送風路１０内の空気を空気吸込口１１から空気吹出口１２に向かって流通させるための送風機５０が設けられている。送風機５０は、ファンモータ５０ａとシロッコファン５０ｂとで構成されている。この送風機５０には、シロッコファン５０ｂを用いているが、これに限定されず、空気を流通させる機能を有するものであればよい。例えば、ラジアルファンや軸流ファン、もしくはそれ以外のファンを用いてもよい。
【００２５】
また、空気吸込口１１と送風機５０との間の送風路１０には、プレフィルタ２０、集塵フィルタ２１、脱臭ユニット３０、ユニットガイド３９、および加湿ユニット４０などが配置されている。
【００２６】
本実施形態における加湿脱臭機１は、図２に示す加湿ユニット４０の気化フィルタ４１の構成に特徴がある。この加湿ユニット４０および気化フィルタ４１の構成について図３〜図６を用いて詳細に説明する。
【００２７】
図３は、図２に示す加湿脱臭機１から加湿ユニット４０を取り出した加湿ユニット４０の斜視図である。加湿ユニット４０における気化フィルタ４１は、図３に示すように、合成樹脂で形成された気化フィルタ収容器４２に収容されている。この気化フィルタ収容器４２の外周部には、気化フィルタ収容器４２を回転させるための回転ギア４４が形成されている。この回転ギア４４は、本体側に設けられた不図示の駆動ギアと噛合し、加湿運転時に気化フィルタ収容器４２を回転させ、非加湿運転時に気化フィルタ収容器４２を所定位置で停止するように制御される。
【００２８】
また、気化フィルタ収容器４２の回転中心には、図３に示すように、回転軸４３が設けられ、この回転軸４３は、軸受支持部４５によって回転可能に支持されている。軸受支持部４５は、給水トレイ４６に設けられており、気化フィルタ収容器４２の一部が給水トレイ４６内の不図示の水に浸漬された状態で回転可能に支持されている。給水トレイ４６に隣接して設けられた給水タンク保持部４８は、給水トレイ４６に対して常に一定の水位を保ちながら水を供給する不図示の給水タンクを保持するものである。
【００２９】
気化フィルタ収容器４２の外周部には、図３に示すように、回転用の回転ギア４４と併設された水汲みポケット４７が所定間隔毎に配置されており、加湿運転時に気化フィルタ収容器４２を一方向に回転させることにより、給水トレイ４６内の水を各水汲みポケット４７が汲み上げ、汲み上げた水が気化フィルタ４１の頂点付近で水汲みポケット４７の開口から気化フィルタ４１に注がれることで効率良くフィルタを湿潤させることができる。図２の送風機５０のファンモータ５０ａを回転させると、空気吸込口１１から導入された空気（矢印Ｂ）が湿潤した気化フィルタ４１の表面４１１から裏面４１２に通過する際に、気化フィルタ４１を湿潤した水分が気化して加湿され、湿度の高い空気（矢印Ｃ）となって吹き出される。
【００３０】
図４は、図３に示す加湿ユニットの気化フィルタ収容器に収容されている気化フィルタの拡大斜視図であり、図５−１は、図４の気化フィルタの折り畳み方向と直交する方向に塗布するホットメルトの塗布態様を示す部分断面であり、このホットメルトが冷えて気化フィルタ４１に固着することで、気化フィルタ４１の形状を保持する形状保持部材（４１０ａ〜４１０ｇ）となる。図５−２は、図５−１と異なるホットメルトの塗布態様を示す部分断面図であり、図５−３は、図４の気化フィルタの折り畳み方向に塗布するホットメルトの塗布態様を示す部分断面である。気化フィルタ４１は、ここでは吸水性と通気性を兼ね備えた板状給水シート４１３（例えば、ポリエステル５０％、レーヨン５０％）をプリーツ状に折り畳み、円板状の折畳体となるように形成されている。この気化フィルタ４１は、加湿運転時にその一部が水を貯留した給水トレイ４６に浸漬されると共に、気化フィルタ収容器４２を回転させ、気化フィルタ４１の外周部に設けられた水汲みポケット４７で汲み上げた給水トレイ４６内の水を気化フィルタ４１の頂点付近で水汲みポケット４７の開口から気化フィルタ４１に注がれ、気化フィルタ４１全体を湿潤させる。非加湿運転時は、気化フィルタ収容器４２の回転を所定位置で停止させて、気化フィルタ４１を湿潤させないようにする。
【００３１】
このように、気化フィルタ４１に対して湿潤と乾燥が繰り返され、気化フィルタ４１が縮む膨潤収縮が起こる。特に、ハイブリット加湿機のように気化フィルタ４１を通過する空気に意図的に熱を加えると膨潤収縮が促進される。
【００３２】
本実施形態にかかる気化フィルタ４１は、図４に示すように、フィルタ表面にフィルタの形状を保持するための形状保持部材（４１０ａ〜４１０ｇ）を所定のパターンで配置したものである。形状保持部材としては、ここではオレフィン系ホットメルトを用いているが、必ずしもこれに限定されない。
【００３３】
本実施形態にかかる気化フィルタ４１は、図４に示すように、板状給水シート４１３をプリーツ状に折り畳んで円板状としているため、折り畳み部分の折り畳み方向への伸縮を防止するべく、フィルタの折り畳み方向である図４のＹ方向に平行となるようにホットメルトを線状に塗布する。線状に塗布されたホットメルトは、図５−３のような断面形状となり、冷えて固着することで折り畳み方向におけるフィルタの形状を保持する形状保持部材（４１０ａ〜４１０ｇ）となる。
【００３４】
また、本実施形態にかかる気化フィルタ４１は、フィルタの折り畳み方向と直交する図４のＸ方向と平行になるように、ホットメルトを線状に塗布する。この線状に塗布されたホットメルトは、折り畳んだ板状給水シート４１３の谷部４１１ａに沿って流し込むように塗布される。つまり、谷部４１１ａ内で冷えて板状給水シート４１３に固着した形状保持部材４１０ｈ、４１０i、４１０ｊは、気化フィルタ４１の表面４１１の谷部４１１ａに入り込むように配置される。谷部４１１ａ内に配置することで、気化フィルタ４１の厚みを厚くせずに形状保持部材４１０ｈ、４１０i、４１０ｊを配置することができる。この形状保持部材４１０ｈ、４１０i、４１０ｊの端部は、プリーツ状の板状給水シート４１３よりはみ出した部分をカット処理する。フィルタの折り畳み方向と直交する方向に配置する形状保持部材は、図５−１に示すように、気化フィルタ４１の谷部４１１ａに入り込んで、冷えて固着し、谷部４１１ａを形成する板状給水シート４１３同士を接着し、この形状保持部材が冷えて気化フィルタ４１に固着することで、フィルタの折り畳み方向と直交する方向の縮みをより確実に防止することができる。
【００３５】
さらに、気化フィルタ４１の折り畳み方向と直交する方向の縮みを防止するためには、図５−１に示すように、形状保持部材４１０ｊが配置された気化フィルタ４１の表面４１１だけでなく、裏面４１２の谷部４１２ａにも形状保持部材４１０Ｋを同様に配置するようにする。つまり、気化フィルタ４１の折り畳み方向と直交する方向には、形状保持部材４１０ｈ、４１０ｉ、４１０ｊと、これらの裏面４１２にも形状保持部材４１０Ｋを配置するため、形状保持部材が合計６箇所配置される。このように、ホットメルトを板状給水シート４１３の折り畳み方向と直交する方向の気化フィルタ４１の谷部４１１ａ、４１２ａにそれぞれ流し込むことで、容易に形状保持部材を形成することができると共に、形状保持部材がプリーツの山部の高さを超えないように塗布できることから、気化フィルタ４１の厚みを増やさずに形状保持部材が冷えて気化フィルタ４１に固着することで、縮みを防止することが可能となる。
【００３６】
さらに、形状保持部材４１０ｉを形成するホットメルトは、気化フィルタ４１の中央付近の谷部４１１ａに塗布し、形状保持部材４１０ｈ形成するホットメルトは、形状保持部材４１０ｉを挟んで、形状保持部材４１０ｊの反対側の端の谷部４１１ａに塗布する。
【００３７】
本実施形態にかかる気化フィルタ４１には、線状の形状保持部材を構成するホットメルトが、図４に示すように、気化フィルタ４１の表面４１１と裏面４１２の面上で線状に塗布されホットメルト同士が交差するように配置している。本実施形態にかかる気化フィルタ４１は、板状給水シート４１３をプリーツ状に折り畳んで構成されているため、板状給水シート４１３の折り畳み方向に線状に塗布したホットメルトにより構成される形状保持部材４１０ａ〜４１０ｇと、板状給水シート４１３の折り畳み方向と直交する方向に線状に塗布したホットメルトにより構成される形状保持部材４１０ｈ〜４１０ｊとが配置されている。形状保持部材４１０ｉと形状保持部材４１０ｄが気化フィルタ４１の中心で交差するように配置されているため、線状に塗布されたホットメルトが冷えて気化フィルタ４１に固着することで気化フィルタ４１の表面４１１、裏面４１２の面上に十字状の形状保持部材を構成することが可能となり、図４に示すＸ方向およびＹ方向の縮みに強い気化フィルタ４１を構成できる。さらに、板状給水シート４１３の折り畳み方向に塗布した形状保持部材４１０ａ〜４１０ｇのうち、少なくとも気化フィルタ４１の中心から最も遠い位置に配置された形状保持部材４１０ａおよび４１０ｇは、その両端側で、板状給水シート４１３の折り畳み方向と直交する方向にそれぞれ形状保持部材４１０ｈ〜４１０ｊを配置するようにしたため、線状に塗布されたホットメルトが冷えて気化フィルタ４１に固着することで気化フィルタ４１の表面４１１、裏面４１２の面上に形状保持部材で矩形状の枠を構成することが可能となり、図４に示すＸ方向およびＹ方向の縮みにより強い気化フィルタ４１を構成することができる。
【００３８】
図６は、膨潤収縮による気化フィルタの直径寸法の変化を形状保持部材の配置の有無で比較したグラフである。この図６は、気化フィルタを濡らした状態から７０℃で乾燥させるまでを１回とし、その回数に応じて気化フィルタの膨潤収縮による直径寸法変化を調べたものである。白丸と実線で示した形状保持部材を配置していない気化フィルタの場合は、図６に示すように、当初直径が１８０ｍｍあっても、５０回あたりでは３ｍｍ収縮し、１００回前後になると５ｍｍ程度まで収縮し、１２５回〜１９０回あたりまでで、６ｍｍ〜７ｍｍ近くまで直径が収縮することになる。
【００３９】
これに対して、形状保持部材を配置した本実施形態の気化フィルタ４１は、当初の直径が１８０ｍｍあったものが、５０回あたりで２ｍｍ収縮し、７０回〜１５０回あたりまで３ｍｍ程度収縮した後、収縮変化が起こらなくなり、収縮しなくなる。このように、本実施形態にかかる気化フィルタ４１に図４に示すような位置に形状保持部材を配置すると、形状保持部材を配置しない場合と比べて、縮み量で５０％程度の改善効果が得られることがわかる。これにより、気化フィルタ４１が収縮することで、気化フィルタ４１と気化フィルタ収容器４２の間に隙間が生じることにより、加湿ユニット４０からの水漏れや空気漏れを防止することができる。
【００４０】
図７は、円板状の気化フィルタに形状保持部材を格子状に配置する別のパターン例を示す図であり、図８は、矩形状の気化フィルタに形状保持部材を格子状に配置するパターン例を示す図であり、図９は、円板状の気化フィルタに形状保持部材を放射状に配置するパターン例を示す図である。上記の実施形態にかかる気化フィルタの形状、種類、形状保持部材の配置パターンなどは、一例であって、本発明はこれに限定されない。例えば、図７に示す円板状の気化フィルタ４１は、プリーツ状に折り畳んだフィルタ以外の気化フィルタであっても格子状に形状保持部材を配置することにより、図７の上下方向および左右方向の縮み量を確実に抑えることが可能となる。
【００４１】
また、図８に示す矩形状の気化フィルタ４１の場合も、フィルタの種類に関わらず、格子状に形状保持部材を配置することにより、図８の上下方向および左右方向の縮み量を確実に抑えることが可能となる。
【００４２】
さらに、図９に示す円板状の気化フィルタ４１であって、フィルタの構造により図７や図８のように縮み方向が上下方向や左右方向ではなく、気化フィルタ４１の中心から放射方向に伸びるようなフィルタ構造の場合は、放射状に形状保持部材を配置することにより、図９の気化フィルタ４１の中心から放射方向の縮み量を抑えることが可能となる。
【符号の説明】
【００４３】
１  加湿脱臭機
１０  送風路
１１  空気吸込口
１２  空気吹出口
１３  ルーバ
１７  前面パネル
１８  側面パネル
１９  操作パネル
２０  プレフィルタ
２１  集塵フィルタ
２２  背面パネル
３０  脱臭ユニット
３９  ユニットガイド
４０  加湿ユニット
４１  気化フィルタ
４１０  形状保持部材（ホットメルト）
４１０ａ〜４１０ｊ  形状保持部材（ホットメルト）
４１１  表面
４１１ａ  谷部
４１２  裏面
４１２ａ  谷部
４１３  板状給水シート
４２  気化フィルタ収容器
４３  回転軸
４４  回転ギア
４５  軸受支持部
４６  給水トレイ
４７  水汲みポケット
４８  給水タンク保持部
５０  送風機
５０ａ  送風ファン
５０ｂ  シロッコファン
【図１】
2014238176.tif 000003
【図２】
2014238176.tif 000004
【図３】
2014238176.tif 000005
【図４】
2014238176.tif 000006
【図５−１】
2014238176.tif 000007
【図５−２】
2014238176.tif 000008
【図５−３】
2014238176.tif 000009
【図６】
2014238176.tif 000010
【図７】
2014238176.tif 000011
【図８】
2014238176.tif 000012
【図９】
2014238176.tif 000013